【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
処理対象画像の色を調整する画像処理装置であって、
前記処理対象画像における無彩色の撮像対象を表す部分が示し得る色を含む複数種類の無彩物体色範囲を設定するとともに、前記複数種類の無彩物体色範囲の中から少なくとも１つを前記処理対象画像に基づいて選択する無彩物体色範囲選択部と、
前記選択された前記無彩物体色範囲に基づいて前記処理対象画像に対する色調整処理を実行する色調整処理部と、
を備える画像処理装置。
【請求項２】
請求項１に記載の画像処理装置であって、
前記色調整処理部は、
前記処理対象画像の画素のうち、前記選択された前記無彩物体色範囲の色を有する選択無彩物体色画素の画素値に基づいてカラーバランス補正値を算出するカラーバランス補正値算出部と、
前記カラーバランス補正値を用いて前記処理対象画像に対してカラーバランス調整を実行するカラーバランス調整実行部と、
を備える、画像処理装置。
【請求項３】
請求項２に記載の画像処理装置であって、
前記無彩物体色範囲選択部は、
前記処理対象画像内における前記無彩物体色範囲内の色を有する画素数に関する画素数特性値を前記無彩物体色範囲毎に算出する画素数特性値算出部を備え、さらに、
前記複数種類の無彩物体色範囲のうちの前記画素数特性値が最も大きい前記無彩物体色範囲を選択する、
画像処理装置。
【請求項４】
請求項３に記載の画像処理装置であって、
前記無彩物体色範囲選択部は、
前記複数種類の無彩物体色範囲のそれぞれの画素数特性値のうちの、最も大きな画素数特性値から２番目に大きな画素数特性値を引いた差分が差分しきい値以下である場合には、前記画素数特性値が２番目に大きな前記無彩物体色範囲も選択する最大２範囲選択モードを有する、
画像処理装置。
【請求項５】
請求項３または請求項４に記載の画像処理装置であって、
前記無彩物体色範囲選択部は、
前記画素数特性値が、前記複数の無彩物体色範囲のうちの所定の基準無彩物体色範囲の画素数特性値である基準範囲特性値を含む基準許容範囲内にある前記無彩物体色範囲を選択する許容範囲選択モードを有する、
画像処理装置。
【請求項６】
請求項３ないし請求項５のいずれかに記載の画像処理装置であって、
前記無彩物体色範囲選択部は、
前記複数種類の無彩物体色範囲のうちの前記画素数特性値が下限値以上の前記無彩物体色範囲を選択する下限選択モードを有する、
画像処理装置。
【請求項７】
請求項１ないし請求項６のいずれかに記載の画像処理装置であって、
前記複数種類の無彩物体色範囲は、
色温度の変化に対する無彩色の物体が示す色の軌跡を含む軌跡無彩物体色範囲と、
前記軌跡を含まず、かつ、前記軌跡無彩物体色範囲の外の色を含む軌跡外無彩物体色範囲と、を含む、画像処理装置。
【請求項８】
請求項３ないし請求項６のいずれかに記載の画像処理装置であって、
前記画素数特性値算出部は、複数の前記無彩物体色範囲が重なる色の範囲に関しては、前記重なる複数の前記無彩物体色範囲のそれぞれが共有するものとして、各無彩物体色範囲の画素数特性値を算出する、画像処理装置。
【請求項９】
データ処理部を有するコンピュータを用いて、処理対象画像の色を調整する画像処理方法であって、
（ａ）前記データ処理部が、前記処理対象画像における無彩色の撮像対象を表す部分が示し得る色を含む複数種類の無彩物体色範囲の中から少なくとも１つを前記処理対象画像に基づいて選択する工程と、
（ｂ）前記データ処理部が、前記選択された前記無彩物体色範囲に基づいて前記処理対象画像に対する色調整処理を実行する工程と、
を含む、画像処理方法。
【請求項１０】
処理対象画像の色を調整する画像処理プログラムであって、コンピュータに、
（ａ）前記処理対象画像における無彩色の撮像対象を表す部分が示し得る色を含む複数種類の無彩物体色範囲の中から少なくとも１つを前記処理対象画像に基づいて選択する機能と、
（ｂ）前記選択された前記無彩物体色範囲に基づいて前記処理対象画像に対する色調整処理を実行する機能と、
を実現させるための画像処理プログラム。
【手続補正２】
【補正対象書類名】明細書
【補正対象項目名】発明の名称
【補正方法】変更
【補正の内容】
【発明の名称】画像処理装置、画像処理方法及び画像処理プログラム
【手続補正３】
【補正対象書類名】明細書
【補正対象項目名】０００８
【補正方法】変更
【補正の内容】
【０００８】
上述の課題の少なくとも一部を解決するために、本発明の画像処理装置は、処理対象画像の色を調整する画像処理装置であって、前記処理対象画像における無彩色の撮像対象を表す部分が示し得る色を含む複数種類の無彩物体色範囲を設定するとともに、前記複数種類の無彩物体色範囲の中から少なくとも１つを前記処理対象画像に基づいて選択する無彩物体色範囲選択部と、前記選択された前記無彩物体色範囲に基づいて前記処理対象画像に対する色調整処理を実行する色調整処理部と、を備える。
【手続補正４】
【補正対象書類名】明細書
【補正対象項目名】００１０
【補正方法】変更
【補正の内容】
【００１０】
上記画像処理装置において、前記色調整処理部は、前記処理対象画像の画素のうち、前記選択された前記無彩物体色範囲の色を有する選択無彩物体色画素の画素値に基づいてカラーバランス補正値を算出するカラーバランス補正値算出部と、前記カラーバランス補正値を用いて前記処理対象画像に対してカラーバランス調整を実行するカラーバランス調整実行部と、を備えていてもよい。
【手続補正５】
【補正対象書類名】明細書
【補正対象項目名】００１２
【補正方法】変更
【補正の内容】
【００１２】
上記画像処理装置において、前記無彩物体色範囲選択部は、前記処理対象画像内における前記無彩物体色範囲内の色を有する画素数に関する画素数特性値を前記無彩物体色範囲毎に算出する画素数特性値算出部を備え、さらに、前記複数種類の無彩物体色範囲のうちの前記画素数特性値が最も大きい前記無彩物体色範囲を選択することが好ましい。
【手続補正６】
【補正対象書類名】明細書
【補正対象項目名】００１３
【補正方法】変更
【補正の内容】
【００１３】
この構成によれば、カラーバランス補正値の算出に利用される無彩物体色範囲として、画素数特性値が最大である無彩物体色範囲が選択されるので、画像の色かぶりを適切に小さくすることができる。
【手続補正７】
【補正対象書類名】明細書
【補正対象項目名】００１４
【補正方法】変更
【補正の内容】
【００１４】
上記画像処理装置において、前記無彩物体色範囲選択部は、前記複数種類の無彩物体色範囲のそれぞれの画素数特性値のうちの、最も大きな画素数特性値から２番目に大きな画素数特性値を引いた差分が差分しきい値以下である場合には、前記画素数特性値が２番目に大きな前記無彩物体色範囲も選択する最大２範囲選択モードを有していてもよい。
【手続補正８】
【補正対象書類名】明細書
【補正対象項目名】００１５
【補正方法】変更
【補正の内容】
【００１５】
この構成によれば、２番目に大きな画素数特性値が画素数特性値の最大値と同程度の大きさである場合には、カラーバランス補正値の算出に利用される無彩物体色範囲として、画素数特性値が２番目に大きな無彩物体色範囲も選択されるので、カラーバランス補正値を処理対象画像に適したものとすることができる。
【手続補正９】
【補正対象書類名】明細書
【補正対象項目名】００１６
【補正方法】変更
【補正の内容】
【００１６】
上記各画像処理装置において、前記無彩物体色範囲選択部は、前記画素数特性値が、前記複数の無彩物体色範囲のうちの所定の基準無彩物体色範囲の画素数特性値である基準範囲特性値を含む基準許容範囲内にある前記無彩物体色範囲を選択する許容範囲選択モードを有していてもよい。
【手続補正１０】
【補正対象書類名】明細書
【補正対象項目名】００１７
【補正方法】変更
【補正の内容】
【００１７】
この構成によれば、カラーバランス補正値の算出に利用される無彩物体色範囲として、基準無彩物体色範囲と、画素数特性値が基準範囲特性値に近い無彩物体色範囲とが選択される。その結果、カラーバランス補正値を、処理対象画像に適したものとすることができる。
【手続補正１１】
【補正対象書類名】明細書
【補正対象項目名】００１８
【補正方法】変更
【補正の内容】
【００１８】
上記各画像処理装置において、前記無彩物体色範囲選択部は、前記複数種類の無彩物体色範囲のうちの前記画素数特性値が下限値以上の前記無彩物体色範囲を選択する下限選択モードを有していてもよい。
【手続補正１２】
【補正対象書類名】明細書
【補正対象項目名】００１９
【補正方法】変更
【補正の内容】
【００１９】
この構成によれば、カラーバランス補正値の算出に利用される無彩物体色範囲として、画素数特性値が下限値以上である無彩物体色範囲が選択されるので、カラーバランス補正値を、処理対象画像に適したものとすることができる。
【手続補正１３】
【補正対象書類名】明細書
【補正対象項目名】００３８
【補正方法】変更
【補正の内容】
【００３８】
上記各画像処理装置において、前記画素数特性値算出部は、複数の前記無彩物体色範囲が重なる色の範囲に関しては、前記重なる複数の前記無彩物体色範囲のそれぞれが共有するものとして、各無彩物体色範囲の画素数特性値を算出してもよい。
【手続補正１４】
【補正対象書類名】明細書
【補正対象項目名】００３９
【補正方法】変更
【補正の内容】
【００３９】
この構成によれば、複数の無彩物体色範囲が互いに重なっていても、重なっている色範囲の大きさに拘わらずに各無彩物体色範囲の画素数特性値を算出するので、選択される無彩物体色範囲を、処理対象画像に適したものとすることができる。